(57)【要約】【課題】分割された表示領域のそれぞれに対応して設けられた入力端子が、いずれの表示領域に対応しているかを簡単に触覚で識別させることができる技術を提供する。【解決手段】第１〜第４のＨＤＭＩ入力端子１１ａ〜１１ｄは、分割された表示領域のそれぞれに対応して設けられている。第１〜第４のＨＤＭＩ入力端子１１ａ〜１１ｄの近傍には触覚で識別可能にするための触覚識別子２が設けられている。触覚識別子２は、画面をイメージさせるように矩形形状に形成された第１〜第４の画面イメージ部２１ａ〜２１ｄと、分割された表示領域のそれぞれに対応して第１〜第４の画面イメージ部２１ａ〜２１ｄを複数領域に分割したときに、第１〜第４のＨＤＭＩ入力端子１１ａ〜１１ｄに割り当てられた表示領域に対応する第１〜第４の画面イメージ部２１ａ〜２１ｄの領域に配置された第１〜第４の分割領域対応標識２２ａ〜２２ｄとで構成される。【選択図】図１
2014067584.tif 000002
【特許請求の範囲】
【請求項１】
分割された表示領域のそれぞれと１対１に対応する入力端子を備えた表示装置であって、
前記各入力端子の近傍には、前記各入力端子に対応した前記分割された表示領域について、全体の表示領域に対する位置を触覚で認識可能とする認識用構造が設けられた
ことを特徴とする表示装置。
【請求項２】
前記認識用構造は、
前記全体の表示領域を表す形状を有し、
前記分割された表示領域のそれぞれに対応させて前記全体の表示領域を表す形状を各領域に分割したときに、前記各入力端子に対応した前記分割された表示領域と対応する前記領域の位置を認識可能に配置された分割領域対応標識を備える
ことを特徴とする請求項１に記載の表示装置。
【請求項３】
前記認識用構造には、前記全体の表示領域を表す形状として、矩形形状が設けられていることを特徴とする請求項１又は２に記載の表示装置。
【請求項４】
前記認識用構造は、
前記全体の表示領域を表す形状として、前記分割された表示領域のそれぞれに対応する各ブロックを有し、
前記入力端子に対応した前記分割された表示領域と対応する前記ブロックを除去するように配置された分割領域対応標識を備える
ことを特徴とする請求項１から３までのいずれか一項に記載の表示装置。
【請求項５】
前記全体の表示領域を表す形状として、前記入力端子の外形形状が含まれることを特徴とする請求項１に記載の表示装置。
【発明の詳細な説明】
【技術分野】
【０００１】
本発明は、分割された表示領域のそれぞれに対応して設けられた複数の入力端子を備える表示装置に関する。
【背景技術】
【０００２】
近年、映像の高画質化が進み、中にはフルＨＤ（high definition）の約４倍の解像度を有する高画質映像がある。この高画質映像は、横縦の解像度が４０００×２０００前後であることから、４ｋ２ｋ映像と呼ばれている。
【０００３】
４ｋ２ｋ映像信号の入力フォーマットの１つとして、４ｋ２ｋ映像信号を外部の出力機器側で画面左上、右上、左下、右下に対応して４分割し、ＨＤＭＩ（High Definition Multimedia Interface）ケーブル４本で表示装置に接続する技術がある。
【０００４】
例えば、図９は、従来の４ｋ２ｋ映像信号用の入力インターフェース部９００を示すイメージ図である。
【０００５】
図示では、入力インターフェース部９００には、４ｋ２ｋ用の入力インターフェースとして、ビス９４で固定された第１〜第４のＨＤＭＩ入力端子９１ａ〜９１ｄが横一列に設けられている。第１〜第４のＨＤＭＩ入力端子９１ａ〜９１ｄは、それぞれ４分割された画面の画面左上、画面右上、画面左下、画面右下の４ｋ２ｋ映像のいずれかに対応している。また、第１〜第４のＨＤＭＩ入力端子９１ａ〜９１ｄの上部には、画面を４分割したときの画面左上、右上、左下、又は右下を示す第１〜第４の図形９２ａ〜９２ｄと、第１〜第４の図形９２ａ〜９２ｄに対応して「左上」、「右上」、「左下」、又は「右下」と書かれた第１〜第４の文字９３ａ〜９３ｄとが印刷されている。
【０００６】
このような入力インターフェース部９００は、表示装置の背面側に設けられることが多い。特に、テレビ等の表示装置の場合、壁面に寄せて設置されることが多く、また、製品の大型化が進んでいるため、背面を目視しにくくなっている。そのため、ユーザが、表示装置の背面側を覗いて、第１〜第４のＨＤＭＩ入力端子９１ａ〜９１ｄが対応している表示領域を示す印刷を目視することが困難になっている。
【０００７】
これについて、例えば、表示装置の背面側に設けられたビデオや音声等の入力端子の近傍に、入力端子毎に丸や三角等の所定の形状をした凸部又は凹部を設け、触覚で入力端子を識別できるようにした技術が知られている（例えば、特許文献１を参照）。
【０００８】
また、表示装置の背面側と正面側とに回転可能に構成され、背面側の入力端子の挿し込み穴に対応して穴部が設けられたカバーを有する表示装置が知られている（例えば、特許文献２を参照）。特許文献２の技術では、表示装置の正面側からカバーの穴部に外部端子を挿通させた後、カバーを表示装置の背面側に回転させることで、背面側の入力端子に外部端子が接続される。
【先行技術文献】
【特許文献】
【０００９】
【特許文献１】特開平１０−２４７５３４号公報
【特許文献２】特開２００８−２８８９５９号公報
【発明の概要】
【発明が解決しようとする課題】
【００１０】
しかしながら、特許文献１及び特許文献２の技術では、４ｋ２ｋ用の入力インターフェースのように、分割された表示領域のそれぞれに対応して入力端子が設けられているときに、各入力端子がいずれの表示領域に対応しているかを簡単に触覚で識別させることができなかった。
【００１１】
本発明は上記課題に鑑みてなされたものであり、分割された表示領域のそれぞれに対応して設けられた入力端子が、いずれの表示領域に対応しているかを簡単に触覚で識別させることができる技術を提供することを目的とする。
【課題を解決するための手段】
【００１２】
本発明の表示装置は、分割された表示領域のそれぞれと１対１に対応する入力端子を備えた表示装置であって、前記各入力端子の近傍には、前記各入力端子に対応した前記分割された表示領域について、全体の表示領域に対する位置を触覚で認識可能とする認識用構造が設けられたことを特徴とする。
また、前記認識用構造は、前記全体の表示領域を表す形状を有し、前記分割された表示領域のそれぞれに対応させて前記全体の表示領域を表す形状を各領域に分割したときに、前記各入力端子に対応した前記分割された表示領域と対応する前記領域の位置を認識可能に配置された分割領域対応標識を備えてもよい。
また、前記認識用構造には、前記全体の表示領域を表す形状として、矩形形状が設けられてもよい。
また、前記認識用構造は、前記全体の表示領域を表す形状として、前記分割された表示領域のそれぞれに対応する各ブロックを有し、前記入力端子に対応した前記分割された表示領域と対応する前記ブロックを除去するように配置された分割領域対応標識を備えてもよい。
また、前記全体の表示領域を表す形状として、前記入力端子の外形形状が含まれてもよい。
【発明の効果】
【００１３】
本発明によれば、分割された表示領域のそれぞれに対応して設けられた入力端子が、いずれの表示領域に対応しているかを簡単に触覚で識別させることができる。
【図面の簡単な説明】
【００１４】
【図１】本発明に係る実施形態の入力インターフェース部を示すイメージ図である。
【図２】図１に示す第１〜第４のＨＤＭＩ入力端子に割り当てられた画面上の分割表示領域を示す図である。
【図３】入力インターフェース部を示す他のイメージ図である。
【図４】入力インターフェース部を示す他のイメージ図である。
【図５】入力インターフェース部を示す他のイメージ図である。
【図６】入力インターフェース部を示す他のイメージ図である。
【図７】入力インターフェース部を示す他のイメージ図である。
【図８】入力インターフェース部を示す他のイメージ図である。
【図９】従来の入力インターフェース部のイメージ図である。
【発明を実施するための形態】
【００１５】
以下、図を参照して本発明の実施形態を詳細に説明する。なお、以下では、同様の機能を示す構成には、同一の符号を付してある。
【００１６】
図１は、本実施形態の入力インターフェース部を示すイメージ図である。入力インターフェース部１００は、例えばテレビやプロジェクタ等の表示装置１０００の背面側に設けられている。
【００１７】
入力インターフェース部１００は、市販されている汎用のＨＤＭＩケーブルに対応した第１のＨＤＭＩ入力端子１１ａ、第２のＨＤＭＩ入力端子１１ｂ、第３のＨＤＭＩ入力端子１１ｃ、第４のＨＤＭＩ入力端子１１ｄ、第５のＨＤＭＩ入力端子１１ｅ、及び第６のＨＤＭＩ入力端子１１ｆを有している。第１〜第４のＨＤＭＩ入力端子１１ａ〜１１ｄは、４ｋ２ｋ用のＨＤＭＩ入力端子である。一方、第５のＨＤＭＩ入力端子１１ｅと第６のＨＤＭＩ入力端子１１ｆとは、４ｋ２ｋ用以外のＨＤＭＩ入力端子（例えば、フルＨＤ用のＨＤＭＩ入力端子等）である。なお、図示では、第１〜第６のＨＤＭＩ入力端子１１ａ〜１１ｆが設けられている例を示したが、設けられる個数に制限はなく、例えば全部で８〜１０個設けられる等してもよい。
【００１８】
ここでは、４ｋ２ｋ映像信号の入力フォーマットは、ＨＤＭＩケーブル４本を介して、１つの４ｋ２ｋ映像を４分割して入力するものとする。そのため、第１〜第４のＨＤＭＩ入力端子１１ａ〜１１ｄの４個の入力端子が、４ｋ２ｋ用のＨＤＭＩ入力端子として設けられている。第１〜第４のＨＤＭＩ入力端子１１ａ〜１１ｄは、接続されたＨＤＭＩケーブルからの４ｋ２ｋ映像を、４分割された画面（表示領域）の画面左上、右上、左下、及び右下のいずれかに表示させるように予め設定されている。つまり、４本のＨＤＭＩケーブルと第１〜第４のＨＤＭＩ入力端子１１ａ〜１１ｄとが互いに対応して接続されなければ、正しく４ｋ２ｋ映像が表示されないことになる。
【００１９】
これについて、第１〜第４のＨＤＭＩ入力端子１１ａ〜１１ｄの近傍には、接続誤りを防ぐための認識用構造として、触覚識別子２が設けられている。触覚識別子２は、第１〜第４のＨＤＭＩ入力端子１１ａ〜１１ｄが、分割された画面上のいずれの表示領域に対応する入力端子であるかを触覚で認識可能にするためのものである。
【００２０】
触覚識別子２は、第１〜第４の画面イメージ部２１ａ〜２１ｄと、各第１〜第４の画面イメージ部２１ａ〜２１ｄ内に配置され、第１〜第４のＨＤＭＩ入力端子１１ａ〜１１ｄに割り当てられた表示領域の画面上の位置を示す第１〜第４の分割領域対応標識２２ａ〜２２ｄとで構成される。図示では、４ｋ２ｋ用のＨＤＭＩ入力端子を識別しやすくさせるため、触覚識別子２が、４ｋ２ｋ用以外のＨＤＭＩ入力端子である第５のＨＤＭＩ入力端子１１ｅと第６のＨＤＭＩ入力端子１１ｆに設けられていない。
【００２１】
第１〜第４の画面イメージ部２１ａ〜２１ｄは、分割前の全体の表示領域を表しており、内面が周囲よりも凹んだ矩形形状に形成され、触覚で直感的に画面をイメージさせやすい形状となっている。そのため、４ｋ２ｋ用のＨＤＭＩ入力端子を示す識別形状について事前知識を有さないユーザであっても、第１〜第４の画面イメージ部２１ａ〜２１ｄに触れたときに、直感的に４ｋ２ｋ用のＨＤＭＩ入力端子であることを識別させることができる。
【００２２】
第１〜第４の分割領域対応標識２２ａ〜２２ｄは、凸状に形成されており、第１〜第４の画面イメージ部２１ａ〜２１ｄを分割された表示領域に対応して複数領域に分割したときに、第１〜第４のＨＤＭＩ入力端子１１ａ〜１１ｄのそれぞれに割り当てられた表示領域に対応する第１〜第４の画面イメージ部２１ａ〜２１ｄの領域に配置されている。つまり、触覚識別子２は、第１〜第４の画面イメージ部２１ａ〜２１ｄと第１〜第４の分割領域対応標識２２ａ〜２２ｄとの相対的な関係により、分割されたいずれの表示領域に対応する第１〜第４のＨＤＭＩ入力端子１１ａ〜１１ｄであるかを触覚で直感的に分かるように構成されている。また、視覚的にも触覚識別子２は、分割されたいずれの表示領域に対応する第１〜第４のＨＤＭＩ入力端子１１ａ〜１１ｄであるかを直感的に分かるように構成されている。
【００２３】
具体的には、図示では、第１のＨＤＭＩ入力端子１１ａに対応する第１の分割領域対応標識２２ａは、第１の画面イメージ部２１ａの左上領域に配置されている。同様に、第２のＨＤＭＩ入力端子１１ｂに対応する第２の分割領域対応標識２２ｂは、第２の画面イメージ部２１ｂの右上領域に配置され、第３のＨＤＭＩ入力端子１１ｃに対応する第３の分割領域対応標識２２ｃは、第３の画面イメージ部２１ｃの左下領域に配置されている。また、第４のＨＤＭＩ入力端子１１ｄに対応する第４の分割領域対応標識２２ｄは、第４の画面イメージ部２１ｄの右下領域に配置されている。また、第１〜第４のＨＤＭＩ入力端子１１ａ〜１１ｄのそれぞれは、対応する第１〜第４の画面イメージ部２１ａ〜２１ｄの略中央に配置されている。
【００２４】
図２は、図１に示す第１〜第４のＨＤＭＩ入力端子１１ａ〜１１ｄに割り当てられた画面上の分割表示領域を示す図である。図示で、各矩形の領域は分割された表示領域のそれぞれを示している。黒い矩形領域が第１〜第４のＨＤＭＩ入力端子１１ａ〜１１ｄに割り当てられた分割表示領域であり、白い矩形領域が第１〜第４のＨＤＭＩ入力端子１１ａ〜１１ｄに割り当てられていない分割表示領域である。
【００２５】
具体的には、図２（ａ）は、第１のＨＤＭＩ入力端子１１ａに割り当てられた分割表示領域（画面左上）を示し、図２（ｂ）は、第２のＨＤＭＩ入力端子１１ｂに割り当てられた分割表示領域（画面右上）を示す。また、図２（ｃ）は、第３のＨＤＭＩ入力端子１１ｃに割り当てられた分割表示領域（画面左下）を示し、図２（ｄ）は、第４のＨＤＭＩ入力端子１１ｄに割り当てられた分割表示領域（画面右下）を示す。
【００２６】
このように、本実施形態では、分割された表示領域のそれぞれに対応して設けられた第１〜第４のＨＤＭＩ入力端子１１ａ〜１１ｄについて、各入力端子が４ｋ２ｋ用のＨＤＭＩ入力端子であり、かつ、分割されたいずれの表示領域に対応しているかを触覚識別子２により触覚で直感的に識別可能にしている。そのため、ユーザが、例えば入力端子毎に様々な形状の識別子を覚える必要がなく、事前知識がなくても直感的に接続作業を行うことができる。
【００２７】
なお、第１〜第４の画面イメージ部２１ａ〜２１ｄ及び第１〜第４の分割領域対応標識２２ａ〜２２ｄの形状としては、上記実施形態に限らず、様々な形状で設けられてもよい。以下に、その例を示す。以下で、第１〜第４のＨＤＭＩ入力端子１１ａ〜１１ｄに割り当てられた画面上の分割表示領域は、図２と同じであるものとする。また、第１〜第４の画面イメージ部２１ａ〜２１ｄは、図３に示す第１〜第４の画面イメージ部３１ａ〜３１ｄ、図４に示す第１〜第４の画面イメージ部４１ａ〜４１ｄ、図５に示す第１〜第４の画面イメージ部５１ａ〜５１ｄに対応しており、第１〜第４の分割領域対応標識２２ａ〜２２ｄは、図４、図５に示す第１〜第４の分割領域対応標識４２ａ〜４２ｄに対応している。
【００２８】
例えば、図３に示すように、第１〜第４の画面イメージ部３１ａ〜３１ｄは、凸状の矩形の枠で形成されてもよい。第１〜第４のＨＤＭＩ入力端子１１ａ〜１１ｄのそれぞれは、対応する第１〜第４の画面イメージ部３１ａ〜３１ｄ内の略中央に配置されている。第１〜第４の分割領域対応標識２２ａ〜２２ｄは、凸状であり、各第１〜第４のＨＤＭＩ入力端子１１ａ〜１１ｄに割り当てられた表示領域の位置に対応して、４分割された各第１〜第４の画面イメージ部３１ａ〜３１ｄの領域に配置されている。
【００２９】
具体的には、第１のＨＤＭＩ入力端子１１ａに対応する第１の分割領域対応標識２２ａは、第１の画面イメージ部３１ａの左上領域に配置され、第２のＨＤＭＩ入力端子１１ｂに対応する第２の分割領域対応標識２２ｂは、第２の画面イメージ部３１ｂの右上領域に配置されている。また、第３のＨＤＭＩ入力端子１１ｃに対応する第３の分割領域対応標識２２ｃは、第３の画面イメージ部３１ｃの左下領域に配置され、第４のＨＤＭＩ入力端子１１ｄに対応する第４の分割領域対応標識２２ｄは、第４の画面イメージ部３１ｄの右下領域に配置されている。
【００３０】
また、図４に示すように、第１〜第４の画面イメージ部４１ａ〜４１ｄは、第１〜第４のＨＤＭＩ入力端子１１ａ〜１１ｄの上部に設けられてもよい。第１〜第４の画面イメージ部４１ａ〜４１ｄは、凸状の複数のブロックで構成されている。各ブロックは、分割された表示領域のそれぞれを示している。第１〜第４の分割領域対応標識４２ａ〜４２ｄは、第１〜第４の画面イメージ部４１ａ〜４１ｄそれぞれの複数のブロックの中で、第１〜第４のＨＤＭＩ入力端子１１ａ〜１１ｄに割り当てられた表示領域に対応するブロックを凹ませる（除去する）ことで表されている。そのため、本来であれば例えば、第１の画面イメージ部４１ａは、４つの凸状のブロックで構成されるところ、第１の分割領域対応標識４２ａによりブロックの１つが凹んだ状態に形成されているので、外観上３つのブロックによる形状で表されている。
【００３１】
具体的には、第１のＨＤＭＩ入力端子１１ａに対応する第１の分割領域対応標識４２ａは、第１の画面イメージ部４１ａの左上領域のブロックを凹ませるように配置され、第２のＨＤＭＩ入力端子１１ｂに対応する第２の分割領域対応標識４２ｂは、第２の画面イメージ部４１ｂの右上領域のブロックを凹ませるように配置されている。また、第３のＨＤＭＩ入力端子１１ｃに対応する第３の分割領域対応標識４２ｃは、第３の画面イメージ部４１ｃの左下領域のブロックを凹ませるように配置され、第４のＨＤＭＩ入力端子１１ｄに対応する第４の分割領域対応標識４２ｄは、第４の画面イメージ部４１ｄの右下領域のブロックを凹ませるように配置されている。
【００３２】
このように、図４では、第１〜第４の画面イメージ部４１ａ〜４１ｄを第１〜第４のＨＤＭＩ入力端子１１ａ〜１１ｄの上部に設けたが、図５に示すように、第１〜第４の画面イメージ部５１ａ〜５１ｄの略中央に第１〜第４のＨＤＭＩ入力端子１１ａ〜１１ｄを設けてもよい。第１〜第４の画面イメージ部５１ａ〜５１ｄは、第１〜第４の画面イメージ部４１ａ〜４１ｄと同様に、分割された表示領域のそれぞれを示す凸状の複数のブロックで構成されている。第１〜第４の画面イメージ部５１ａ〜５１ｄそれぞれの複数のブロックの中の１つは、第１〜第４の分割領域対応標識４２ａ〜４２ｄにより、第１〜第４のＨＤＭＩ入力端子１１ａ〜１１ｄに割り当てられた表示領域に対応して凹んだ状態に形成されている。なお、第１〜第４の分割領域対応標識４２ａ〜４２ｄは、画面をイメージさせる矩形形状にするため、ブロックの側壁を残すように凹んだ状態に形成されてもよい。
【００３３】
また、上記の第１〜第４の画面イメージ部２１ａ〜２１ｄ、３１ａ〜３１ｄ、４１ａ〜４１ｄ、５１ａ〜５１ｄ、及び第１〜第４の分割領域対応標識２２ａ〜２２ｄ、４２ａ〜４２ｄにおける凹凸の関係は、いずれが凸部又は凹部で構成されてもよい。また、第１〜第４の分割領域対応標識２２ａ〜２２ｄは、図６に示すビス９４で構成されてもよい。この場合、第１〜第４のＨＤＭＩ入力端子１１ａ〜１１ｄを固定するビス９４の位置は、各第１〜第４のＨＤＭＩ入力端子１１ａ〜１１ｄに割り当てられた分割表示領域に対応して、第１〜第４の画面イメージ部２１ａ〜２１ｄ、３１ａ〜３１ｄ、４１ａ〜４１ｄ、５１ａ〜５１ｄにおける、例えば左上、右上、左下、右下領域のいずれかに配置されることになる。
【００３４】
なお、上記実施形態では、第１〜第４の画面イメージ部２１ａ〜２１ｄ、３１ａ〜３１ｄ、４１ａ〜４１ｄ、５１ａ〜５１ｄが、分割前の全体の表示領域を表すものとして説明したが、第１〜第４の画面イメージ部２１ａ〜２１ｄ、３１ａ〜３１ｄ、４１ａ〜４１ｄ、５１ａ〜５１ｄの代わりに、第１〜第４のＨＤＭＩ入力端子１１ａ〜１１ｄの外形形状が、分割前の全体の表示領域を概略的に表すものとしてもよい。この場合、分割された表示領域のそれぞれに対応させて、第１〜第４のＨＤＭＩ入力端子１１ａ〜１１ｄそれぞれの外形形状を複数領域に分割したとする。このときに、第１〜第４の分割領域対応標識２２ａ〜２２ｄは、各第１〜第４のＨＤＭＩ入力端子１１ａ〜１１ｄについて、割り当てられた分割表示領域の位置に対応する分割された外形形状の領域の位置が分かるように、第１〜第４のＨＤＭＩ入力端子１１ａ〜１１ｄの外周部（例えば、右上、左上、右下、左下等）に設けられればよい。
【００３５】
また、入力インターフェース部は、１つの４ｋ２ｋ映像を４系統で取得する第１〜第４のＨＤＭＩ入力端子１１ａ〜１１ｄに加えて、更に、１つの４ｋ２ｋ映像を１系統で取得する第７のＨＤＭＩ入力端子１１ｇを備えてもよい。つまり、第７のＨＤＭＩ入力端子１１ｇは、４分割された表示領域の全てに対応している。この第７のＨＤＭＩ入力端子１１ｇは、例えば、４ｋ２ｋ３０ｐ信号に対応している。
【００３６】
例えば、図６は、図１に示す入力インターフェース部１００に第７のＨＤＭＩ入力端子１１ｇを追加した図であり、図７は、図３に示す入力インターフェース部１０１に第７のＨＤＭＩ入力端子１１ｇを追加した図である。また、図８は、図４に示す入力インターフェース部１０２に第７のＨＤＭＩ入力端子１１ｇを追加した図である。なお、図示していないが、図５に示す入力インターフェース部１０３に、第７のＨＤＭＩ入力端子１１ｇを追加してもよいことは言うまでもない。
【００３７】
図６に示すように、第７のＨＤＭＩ入力端子１１ｇの近傍には、全体の表示領域を表す凹み状の第７の画面イメージ部２１ｇと、第７のＨＤＭＩ入力端子１１ｇに割り当てられた表示領域を表す凸状の分割領域対応標識２２ｇとが設けられている。分割領域対応標識２２ｇは、ＨＤＭＩ入力端子１１ｇが４分割された表示領域の全てに対応していることを示すように、第７の画面イメージ部２１ｇの左上、右上、左下、及び右下領域の全てに１つずつ配置されている。
【００３８】
同様に、図７に示す入力インターフェース部１０５において、第７のＨＤＭＩ入力端子１１ｇの近傍には、全体の表示領域を表す凸状の矩形枠で形成された第７の画面イメージ部３１ｇと、第７のＨＤＭＩ入力端子１１ｇに割り当てられた表示領域を表す凸状の４つの分割領域対応標識２２ｇとが設けられている。
【００３９】
また、図８に示す入力インターフェース部１０６では、第７のＨＤＭＩ入力端子１１ｇの近傍には、全体の表示領域を表す凸状の４つのブロックで形成された第７の画面イメージ部４１ｇと第７の分割領域対応標識４２ｇとが設けられている。
【００４０】
なお、ここで、第７のＨＤＭＩ入力端子１１ｇに割り当てられた表示領域を表す第７の分割領域対応標識４２ｇは、第１〜第４のＨＤＭＩ入力端子１１ａ〜１１ｄに対応する第１〜第４の分割領域対応標識４２ａ〜４２ｄの配置規則に従うならば、４つのブロックの全てを凹ませるように配置されるべきである。しかしながら、第７の画面イメージ部４１ｇの４つのブロックの全てを凹ませると、４ｋ２ｋ用のＨＤＭＩ入力端子でない第５、第６のＨＤＭＩ入力端子１１ｅ、１１ｆと、４ｋ２ｋ用のＨＤＭＩ入力端子である第７のＨＤＭＩ入力端子１１ｇとの区別ができなくなる。そのため、ここでは、例外的に、第７の分割領域対応標識４２ｇは、第７の画面イメージ部４１ｇの４つのブロックと兼用して、４つのブロックで表されるものとしている。
【００４１】
なお、第１〜第４、第７の分割領域対応標識４２ａ〜４２ｄ、４２ｇは、第１〜第４、第７の画面イメージ部４１ａ〜４１ｄ、４１ｇのブロックの側壁を残すように凹んだ状態に形成されてもよい。この場合、第７の分割領域対応標識４２ｇを第１〜第４の分割領域対応標識２２ａ〜２２ｄの配置規則と同様に配置することができる。
【００４２】
また、上記実施形態では、４ｋ２ｋ用の入力端子として、第１〜第４、第７のＨＤＭＩ入力端子１１ａ〜１１ｄ、１１ｇはＨＤＭＩ入力端子である場合を例に説明したが、４ｋ２ｋ映像信号の入力フォーマットに対応した入力端子であればよい。
【００４３】
本発明は上述した実施の形態に限定されるものではなく、本発明の趣旨を逸脱しない範囲で種々様々に変更が可能であることは言うまでもない。
【符号の説明】
【００４４】
２：触覚識別子
１１ａ、９１ａ：第１のＨＤＭＩ入力端子
１１ｂ、９１ｂ：第２のＨＤＭＩ入力端子
１１ｃ、９１ｃ：第３のＨＤＭＩ入力端子
１１ｄ、９１ｄ：第４のＨＤＭＩ入力端子
１１ｅ：第５のＨＤＭＩ入力端子
１１ｆ：第６のＨＤＭＩ入力端子
１１ｇ：第７のＨＤＭＩ入力端子
２１ａ、３１ａ、４１ａ、５１ａ：第１の画面イメージ部
２１ｂ、３１ｂ、４１ｂ、５１ｂ：第２の画面イメージ部
２１ｃ、３１ｃ、４１ｃ、５１ｃ：第３の画面イメージ部
２１ｄ、３１ｄ、４１ｄ、５１ｄ：第４の画面イメージ部
２１ｇ、３１ｇ、４１ｇ、５１ｇ：第７の画面イメージ部
２２ａ、４２ａ：第１の分割領域対応標識
２２ｂ、４２ｂ：第２の分割領域対応標識
２２ｃ、４２ｃ：第３の分割領域対応標識
２２ｄ、４２ｄ：第４の分割領域対応標識
２２ｇ、４２ｇ：第７の分割領域対応標識
９２ａ：第１の図形
９２ｂ：第２の図形
９２ｃ：第３の図形
９２ｄ：第４の図形
９３ａ：第１の文字
９３ｂ：第２の文字
９３ｃ：第３の文字
９３ｄ：第４の文字
９４：ビス
１００〜１０６、９００：入力インターフェース部
１０００：表示装置
【図１】
2014067584.tif 000003
【図２】
2014067584.tif 000004
【図３】
2014067584.tif 000005
【図４】
2014067584.tif 000006
【図５】
2014067584.tif 000007
【図６】
2014067584.tif 000008
【図７】
2014067584.tif 000009
【図８】
2014067584.tif 000010
【図９】
2014067584.tif 000011